(57)【特許請求の範囲】
【請求項１】
隣接進化したノードB(eNB)情報を取得する方法であって、
eNBと移動性管理エンティティ(MME)とがS1インターフェース接続を確立する過程に、MMEが前記eNBの隣接eNBのグローバルeNB標識とトラッキングエリア標識(TAI)の情報を前記eNBに発信することと、
前記eNBが隣接eNBのグローバルeNB標識とTAIの情報を受信して取得することとを含む隣接進化したノードB(eNB)情報を取得する方法。
【請求項２】
前記eNBとMMEとがS1インターフェース接続を確立する過程に、MMEが前記eNBの隣接eNBのグローバルeNB標識とTAIの情報を前記eNBに発信するステップは、
前記eNBがMMEにS1確立要求メッセージを発信するステップと、
前記MMEが前記S1確立要求メッセージを受信した後、前記eNBにS1確立応答メッセージを返し、前記S1確立応答メッセージには前記eNBの隣接eNBのグローバルeNB標識とTAIの情報リストを携帯するステップを含む請求項1に記載の方法。
【請求項３】
前記MMEが前記S1確立要求メッセージを受信した後、前記方法はさらに、
前記MMEがさらに前記eNBの隣接eNBにMME配置更新メッセージを発信し、前記MME配置更新メッセージに前記eNBのグローバルeNB標識とTAIの情報を携帯することを含む請求項2に記載の方法。
【請求項４】
前記eNBが隣接eNBのグローバルeNB標識とTAIの情報を受信して取得するステップは、前記eNBが受信した前記S1確立応答メッセージに基づいて、隣接eNBのグローバルeNB標識とTAIの情報を取得することであり、
該方法はさらに、
前記eNBが各隣接eNBにeNB配置伝達メッセージを構築し、且つ前記MMEに発信することと、
前記eNBが前記MMEにより返事したMME配置伝達メッセージを受信した後、前記MME配置伝達メッセージから相応な隣接eNBのX2インターフェース接続のIPアドレスを取得することとを含む請求項2または3に記載の方法。
【請求項５】
隣接進化したノードB(eNB)情報を取得する方法であって、
eNBとMMEとがS1インターフェース接続を確立した後、MMEが前記eNBにMME配置更新メッセージを発信し、前記MME配置更新メッセージには前記eNBの隣接eNBのグローバルeNB標識とTAIの情報リストを携帯することを含む隣接進化したノードB(eNB)情報を取得する方法。
【請求項６】
受信した前記MME配置更新メッセージに基づいて、前記eNBが相応な隣接eNBのグローバルeNB標識とTAIの情報を取得し、各隣接eNBのためにeNB配置伝達メッセージを構築し、且つ前記MMEに発信することと、
前記eNBが前記MMEにより返事したMME配置伝達メッセージを受信した後、前記MME配置伝達メッセージから相応な隣接eNBのX2インターフェース接続のIPアドレスを取得することとをさらに含む請求項5に記載の方法。
【請求項７】
隣接進化したノードB(eNB)情報を取得する移動性管理エンティティ(MME)であって、
前記MMEは、前記eNBとS1インターフェース接続を確立する過程に、前記eNBの隣接eNBのグローバルeNB標識とトラッキングエリア標識（TAI）の情報を前記eNBに発信するように設置される隣接進化したノードB(eNB)情報を取得する移動性管理エンティティ(MME)。
【請求項８】
前記MMEは、前記eNBにより発信したS1確立要求メッセージを受信した後、前記eNBにS1確立応答メッセージを返し、前記S1確立応答メッセージに前記eNBの隣接eNBのグローバルeNB標識とTAIの情報リストを携帯するように設置される請求項7に記載のMME。
【請求項９】
隣接進化したノードB(eNB)情報を取得する移動性管理エンティティ(MME)であって、
前記MMEは、eNBとMMEとがS1インターフェース接続を確立した後、前記eNBにMME配置更新メッセージを発信し、前記MME配置更新メッセージにはS1インターフェース接続を新しく確立した前記eNBの隣接eNBのグローバルeNB標識とトラッキングエリア標識（TAI）の情報リストを携帯するように設置される隣接進化したノードB(eNB)情報を取得する移動性管理エンティティ(MME)。
【請求項１０】
前記MMEはさらに、
eNB配置伝達メッセージを受信し、前記eNB配置伝達メッセージが、前記eNBにより前記隣接eNBのグローバルeNB標識とTAIの情報に基づいて、各隣接eNBために構築され且つ前記MMEに発信され、
eNBにMME配置伝達メッセージを返すことにより、前記eNBが前記MME配置伝達メッセージから相応な隣接eNBのX2インターフェース接続のIPアドレスを取得するように設置される請求項9に記載のMME。
【発明の詳細な説明】
【技術分野】
【０００１】
本発明はロング・ターム・エボリューション(Long Term Evolution、LTE)システムに関し、特に、隣接進化したノードB(E-UTRAN Node B、eNB)情報を取得する方法及び移動性管理エンティティ(Mobile Management Entity、MME)に関する。
【背景技術】
【０００２】
LTEシステムにおいて、図1に示すように、自動的に相手のeNBの転送アドレス情報を取得し、X2インターフェース接続を確立する方法については以下の通りである。
【０００３】
ステップ101、eNB1がeNB2のグローバルeNB標識(Global eNB ID)とトラッキングエリア標識(Tracking Area Identity、TAI)情報を取得し、eNB1がMMEにeNB配置伝達メッセージ(eNB Configuration Transfer)を発信し、eNB1の情報をソースeNB標識(Source eNB-ID)に書き入れ、eNB2の情報を目標eNB標識(Target eNB-ID)に書き入れ、且つ自己組織化ネットワーク(Self-Organized Network、SON)情報を選択してSON情報要求(SON Information Request)とする。
【０００４】
ステップ102、MMEがこのメッセージを受信した後、SON情報(SON Information)のタイプをSON情報要求と判断すると、MMEがこのメッセージを目標側のeNB2にトランスペアレント伝送、メッセージ名がMME配置伝達メッセージ(MME Configuration Transfer)である。
【０００５】
ステップ103、eNB2がこのメッセージを受信した後、eNB配置伝達メッセージをMMEに組織し、このメッセージにおいてSON情報を選択してSON情報応答(SON Information Reply)とし、SON情報応答にソース側eNB1のX2インターフェースと接続するIPアドレースを書き入れる。
【０００６】
ステップ104、MMEがこのメッセージを受信した後、SON情報をSON情報応答と判断すると、MMEがこのメッセージをソース側eNB1に透過し、メッセージ名がMME配置伝達メッセージであり、ソース側eNB1がこのメッセージを受信した後、目標側eNB2のX2インターフェースが接続するIPアドレースを取得し、これでSCTP(Stream Control Transmission Protocol、ストリーム制御転送プロトコル)層がこのカップリングを確立ことができる。
【０００７】
どのように相手の情報を取得し、IPアドレースの取得に用いられることは、目下2つの方法がある。
1. バックステージ配置によって取得する。
2.自動隣接関係(Automatic Neighbour Relation、ANR)機能によって取得する。
【０００８】
次に、ANR機能について簡単に説明する。
ANR機能はeNB内部に位置し且つ概念的な隣接関係表(Neighbour Relation Table、NRT)を管理する。ANR機能は隣接セル検出機能を含み、新たな隣接セルを発見し且つそれをNRTに加入することができる。ANR機能は同様に隣接セル削除機能を含み、期限が切れた隣接セル関係を削除することができる。隣接セル検出機能と隣接セル削除機能とがいずれもメーカー実現内容に属する。
【０００９】
ANRに隣接セル関係(Neighbour Cell Relation、NR)を以下のように定義する。
サービスセルと目標セルとの間に隣接セル関係が存在するとは、eNBにより制御するソースセルが目標セルの進化した通用地上波無線アクセスネットワークセルグローバル標識(E-UTRAN Cell Global Identifier、ECGI)/セルグローバル標識(Cell Global Identifier、CGI)及び物理セル標識(PhySical Cell Identifier、PCI)を知ることと、前記ソースセルがNRTにおいて、ソースセルが目標セルを識別するための記録を存在することと、前記ソースセルがNRTに定義したプロパティを含み、操作、管理及びメンテナンス(Operation、Administration and Maintence、OAM)機能により設置され或いは直接に黙認プロパティ値を配置することができることである。
【００１０】
eNB下の各セルに対して、eNBが、対応のNRT表をメンテナンスと管理し、各NRに対して、NRTに目標セル標識(Target Cell ID、TCI)を含む。E-UTRANセルに対して、TCIがE-UTRAN目標セルのECGIとPCIを表す。
【００１１】
隣接セル自動構築と最適化とが以下の2つの場合に分けられる。
1)LTE内/周波数内隣接セル自動構築(Intra-LTE/frequency Automatic Neighbour Relation Function)
2)システム間/周波数間隣接セル自動構築(Inter-RAT/Inter-frequency Automatic Neighbour Relation Function)
【００１２】
場合1の解決方案は以下の通りである。
ANR機能の実現、図2に示すように
ステップ201、eNBのサービスセルAがANR機能を有し、正常的なコールフローの一部として、eNBが各ユーザー端末(User Equipment、UE)に隣接セルに対して測量を行うように知らせ、eNBが異なる策略でUEに、測量の行い及びいつ測量結果を報告するよう知らせることができる。
【００１３】
ステップ202、UEがセルBに関連する測量結果を発信し、この結果に含まれるのはセルBのPCIであり、ECGIではなく、eNBが、UEが発信したPCIを含む測量報告を受信すると、次のステップを執行する。
【００１４】
ステップ203、eNBがUEに、新しく発見した物理セルID(即ち、セルBのID)をパラメータとして関連する隣接セルのECGI、トラッキングエリアコード(Tracking Area Code、TAC)、すべての利用できる公衆陸上移動通信ネットワーク(Public Land Mobile Network、PLMN)IDを読み取ることを知らせ、従って、eNBは適当なアイドルサイクルをスケジューリングしてUEに、測量した隣接セルのECGI読み取られる必要がある。
【００１５】
ステップ204、UEが放送チャネル(Broadcast Channel、BCH)を読み取ることによって、セルＢのECGIを取得する。
【００１６】
ステップ205、UEが取得したセルBのECGIをセルAのeNBに報告する。
eNBがこの隣接セル関係に加入することを決定し、且つPCIとECGIを使用することができ、
a、新しいeNBの転送層アドレースを探す。
b、それの隣接セル関係リストを更新する。
c、必要があれば、新しいeNBとX2インターフェース接続を確立する。
【００１７】
場合2に対して、
X2インターフェースがE-UTRANのみに定義されるので、ここではシステム間の情況に注目しなく、周波数間の情況だけに注目する。全体フローが場合1に似てるため、ここで詳しく説明しない。
【００１８】
周波数間の場合に、必要があれば、eNBが、UEが検出した情報で新しいX2インターフェース接続を確立することができる。
【００１９】
以上のように、従来技術の両種方法は以下の問題が存在する。
バックステージ配置を採用する方法は、隣接eNB情報を配置する面倒な仕事をオペレーターに任せる。
【００２０】
ANR自動隣接セル関係によって取得する方法は、UEが隣接セル検出とeNBの交互が頻繁のため、エアインターフェースのオーバーヘッドを増加する。
【発明の概要】
【発明が解決しようとする課題】
【００２１】
本発明解決しようとする技術課題は隣接eNB情報を取得する方法及びシステムを提案することであり、従来技術においてバックステージを採用して手動的に隣接eNB情報を配置することの面倒さと、ANR自動隣接セル関係によって隣接eNB情報を取得することでエアインターフェースオーバーヘッドの増加の問題を解決する。
【課題を解決するための手段】
【００２２】
前記課題を解決するために、本発明は隣接eNB情報を取得する方法を提供し、
eNBと移動性管理エンティティ(MME)とがS1インターフェース接続を確立する過程に、MMEが前記eNBの隣接eNBのグローバルeNB標識とトラッキングエリア標識(TAI)の情報を前記eNBに発信することと、
前記eNBが隣接eNBのグローバルeNB標識とTAIの情報を受信して取得することとを含む。
【００２３】
上記方法はさらに以下の特徴をあってもよく、
前記eNBとMMEとがS1インターフェース接続を確立する過程に、MMEが前記eNBの隣接eNBのグローバルeNB標識とTAIの情報を前記eNBに発信するステップは、
前記eNBがMMEにS1確立要求メッセージを発信するステップと、
前記MMEが前記S1確立要求メッセージを受信した後、前記eNBにS1確立応答メッセージを返し、前記S1確立応答メッセージには前記eNBの隣接eNBのグローバルeNB標識とTAIの情報リストを携帯するステップを含む。
【００２４】
上記方法はさらに以下の特徴をあってもよく、
前記MMEが前記S1確立要求メッセージを受信した後、前記方法はさらに、
前記MMEがさらに前記eNBの隣接eNBにMME配置更新メッセージを発信し、前記MME配置更新メッセージに前記eNBのグローバルeNB標識とTAIの情報を携帯することを含む。
【００２５】
上記方法はさらに以下の特徴をあってもよく、
前記eNBが隣接eNBのグローバルeNB標識とTAIの情報を受信して取得するステップは、前記eNBが受信した前記S1確立応答メッセージに基づいて、隣接eNBのグローバルeNB標識とTAIの情報を取得することであり、
該方法はさらに、
前記eNBが各隣接eNBにeNB配置伝達メッセージを構築し、且つ前記MMEに発信することと、
前記eNBが前記MMEにより返事したMME配置伝達メッセージを受信した後、前記MME配置伝達メッセージから相応な隣接eNBのX2インターフェース接続のIPアドレースを取得することとを含む。
【００２６】
本発明はさらに隣接進化したノードB(eNB)情報を取得する方法を提供し
eNBとMMEとがS1インターフェース接続を確立した後、MMEが前記eNBにMME配置更新メッセージを発信し、前記MME配置更新メッセージには前記eNBの隣接eNBのグローバルeNB標識とTAIの情報リストを携帯することを含む。
上記方法はさらに以下の特徴をあってもよく、
受信した前記MME配置更新メッセージに基づいて、前記eNBが相応な隣接eNBのグローバルeNB標識とTAIの情報を取得し、各隣接eNBのためにeNB配置伝達メッセージを構築し、且つ前記MMEに発信することと、
前記eNBが前記MMEにより返事したMME配置伝達メッセージを受信した後、前記MME配置伝達メッセージから相応な隣接eNBのX2インターフェース接続のIPアドレースを取得することとをさらに含む。
上記問題を解決するために、本発明はさらに隣接進化したノードB(eNB)情報を取得する移動性管理エンティティ(MME)提供し、
前記MMEは、前記eNBとS1インターフェース接続を確立する過程に、前記eNBの隣接eNBのグローバルeNB標識とトラッキングエリア標識（TAI）の情報を前記eNBに発信するように設置される隣接進化したノードB(eNB)情報を取得する移動性管理エンティティ(MME)。
上記方法はさらに以下の特徴をあってもよく、
前記MMEは、前記eNBにより発信したS1確立要求メッセージを受信した後、前記eNBにS1確立応答メッセージを返し、前記S1確立応答メッセージに前記eNBの隣接eNBのグローバルeNB標識とTAIの情報リストを携帯するように設置される。
本発明はさらに隣接進化したノードB(eNB)情報を取得する移動性管理エンティティ(MME)を提供し、
前記MMEは、eNBとMMEとがS1インターフェース接続を確立した後、前記eNBにMME配置更新メッセージを発信し、前記MME配置更新メッセージにはS1インターフェース接続を新しく確立した前記eNBの隣接eNBのグローバルeNB標識とトラッキングエリア標識（TAI）の情報リストを携帯するように設置される隣接進化したノードB(eNB)情報を取得する。
【００２７】
上記MMEはさらに以下の特徴をあってもよく、
前記MMEはさらに、
eNB配置伝達メッセージを受信し、前記eNB配置伝達メッセージが、前記eNBにより前記隣接eNBのグローバルeNB標識とTAIの情報に基づいて、各隣接eNBために構築され且つ前記MMEに発信され、
eNBにMME配置伝達メッセージを返すことにより、前記eNBが前記MME配置伝達メッセージから相応な隣接eNBのX2インターフェース接続のIPアドレースを取得するように設置される。
【発明の効果】
【００２８】
本発明を採用すると、S1インターフェース確立(S1 SETUP)を行う過程に、本eNBの隣接eNBの情報を取得することができ、MME配置更新メッセージ(MME CONFIGURATION UPDATE)によって隣接eNBの情報を取得することができ、早速X2インターフェース接続を確立する。X2インターフェース接続の確立のため、隣接eNBのセルと隣接セル情報を取得する。本発明を採用して隣接eNB情報を手動的に配置する面倒な仕事からオペレーターを解放させ、且つUEの隣接セル検出のためeNBとの頻繁な交互を減少させる。
【図面の簡単な説明】
【００２９】
【図１】従来技術においてソース側eNB1が目標側eNB2の転送アドレス情報を取得する模式図である。
【図２】従来技術LTE内/周波数内隣接セル自動構築と最適化の模式図である。
【図３】本発明実施例のeNB1がS1インターフェース接続を確立するときに隣接eNBの情報を取得するフローチャート図である。
【図４】本発明実施例のeNB1がMME配置更新メッセージ(MME CONFIGURATION UPDATE)を受信するときに隣接eNB情報を取得するフローチャート図である。
【発明を実施するための形態】
【００３０】
本発明に、両種の方式でeNBに隣接eNB情報を取得させる。
【００３１】
方式1、eNBとMMEとがS1インターフェース接続を確立する過程に、MMEが前記eNBの隣接eNBのグローバルeNB標識とTAIの情報を前記eNBに発信する。
方式2、eNBとMMEとがS1インターフェース接続を確立した後、MMEが前記eNBに、前記MMEとS1インターフェース接続を新たに確立した隣接eNBのグローバルeNB標識とTAIの情報を発信する。
【００３２】
次に、本発明について、図面及び具体的な実施例を結合して詳しく説明する。
図3に示すように、eNB1とMME1とがS1インターフェース接続を確立する過程において、隣接eNBのグローバルeNB標識とTAI情報を取得するフローであり、以下のステップを含む。
【００３３】
ステップ301、eNB1がMME1へS1確立要求メッセージ(S1 SETUP REQUEST)を発信する。
【００３４】
ステップ302、MME1がeNB1のS1確立要求メッセージを受信した後、MME1がeNB1にS1確立応答メッセージ(S1 SETUP RESPONSE)を返事し、このメッセージに、目下プロトコルに含むセルを携帯する以外に、さらにeNB1の隣接eNBのグローバルeNB標識とTAI情報リストを携帯し、
該ステップにおいて、MME1がさらにeNB1の隣接eNBにMME配置更新メッセージ(MME CONFIGURATION UPDATE)を発信し、前記MME配置更新メッセージにはeNB1のグローバルeNB標識とTAIの情報を携帯し、このように、eNB1の隣接eNBがeNB1のグローバルeNB標識とTAIの情報に基づいて、eNB1のX2インターフェース接続のIPアドレースを取得することができる。
【００３５】
ステップ303、eNB1が前記S1確立応答メッセージを受信し、隣接eNBのグローバルeNB標識とTAIの情報を取得し、ステップ302にフィードバックした隣接eNBの数に基づいて、各隣接eNBためにeNB配置伝達メッセージを構築し、且つMME1に発信する。
【００３６】
ステップ304、eNB1がMME1により返事したMME配置伝達メッセージを受信した後、前記MME配置伝達メッセージからある隣接eNBのX2インターフェース接続のIPアドレースを取得する。
【００３７】
図4に示すように、eNB1とMME1とがS1インターフェース接続を確立した後、隣接eNBのグローバルeNB標識とTAI情報を取得するフローであり、以下のステップを含む。
【００３８】
ステップ401、MME1がMME配置更新メッセージ(MME CONFIGURATION UPDATE)をeNB1に発信し、このメッセージに、MME1とS1インターフェース接続を新しく確立した隣接eNBのグローバルeNB標識とTAI情報リストを携帯し、
eNBがMME1にS1確立要求メッセージを発信し、且つ該eNBがeNB1の隣接のeNBであるので、MME1がeNB1に上記MME配置更新メッセージを発信することになる。
【００３９】
ステップ402、eNB1がMME配置更新メッセージを受信し、隣接eNBのグローバルeNB標識とTAIの情報リストを取得する。
【００４０】
ステップ403、eNB1がステップ402にフィードバックした隣接eNBの数に基づいて、各隣接eNBためにeNB配置伝達メッセージを構築し、且つMME1に発信する。
【００４１】
ステップ404、eNB1がMME1により返事したMME配置伝達メッセージを受信した後、前記MME配置伝達メッセージからある隣接eNBのX2インターフェース接続のIPアドレースを取得する。
【００４２】
本発明の実施例に係る隣接eNB情報を取得するシステムは、MMEとeNBを含む。
【００４３】
その中、前記MMEは、前記eNBとS1インターフェース接続を確立する過程に、前記eNBの隣接eNBのグローバルeNB標識とTAIの情報を前記eNBに発信することに用いられ、
前記eNBは、隣接eNBのグローバルeNB標識とTAIの情報を受信して取得することに用いられる。
【００４４】
前記MMEはさらに、前記eNBにより発信したS1確立要求メッセージを受信した後、前記eNBにS1確立応答メッセージを返事し、前記S1確立応答メッセージに前記eNBの隣接eNBのグローバルeNB標識とTAIの情報リストを携帯させることに用いられる。
【００４５】
前記MMEはさらに、前記eNBとMMEとがS1インターフェース接続を確立した後、前記eNBにMME配置更新メッセージを発信し、前記MME配置更新メッセージに、S1インターフェース接続を新しく確立した前記eNBの隣接eNBのグローバルeNB標識とTAIの情報リストを携帯させることに用いられる。
【００４６】
前記eNBはさらに、前記隣接eNBのグローバルeNB標識とTAIの情報に基づいて、各隣接eNBためにeNB配置伝達メッセージを構築し、且つ前記MMEに発信し、及び、前記MMEにより返事したMME配置伝達メッセージを受信した後、前記MME配置伝達メッセージから相応な隣接eNBのX2インターフェース接続のIPアドレースを取得することに用いられる。
【００４７】
もちろん、本発明はさらに他の多種実施例を有し、本発明の精神及びその実質を外れない場合に、本分野をよく知っている技術者が本発明に基づいて各種の相応の変更と変形をしてもよいが、これらの相応の変更と変形がいずれも本発明に付け加えた請求範囲の保護範囲に属するべきである。
【産業上の利用可能性】
【００４８】
本発明を採用し、S1インターフェース確立を行う過程に、本eNBの隣接eNBの情報を取得することができ、MME配置更新メッセーによって隣接eNBの情報を取得することもでき、早速X2インターフェース接続を確立する。X2インターフェース接続の確立によって、隣接eNBのセルと隣接セル情報を取得する。本発明を採用して隣接eNB情報を手動的に配置する面倒な仕事からオペレーターを解放させ、且つUEの隣接セル検出のためeNBとの頻繁な交互を減少させる。
【図１】
0005362102.tif 000002
【図２】
0005362102.tif 000003
【図３】
0005362102.tif 000004
【図４】
0005362102.tif 000005